(57)【要約】  本発明は、空気調和機の自己洗浄のための制御方法を開示し、空気調和機の技術分野に属する。当該方法は、空気調和機冷房モードにおいて、室内温度ｔおよび室内湿度ＲＨを収集するステップと、前記室内温度ｔおよび室内湿度ＲＨに基づいて条件を満たすか否かを判断し、条件を満たす場合、室内パイプコイルの温度Ｔｐｎに基づいて圧縮機の作業周波数Ｆを制御し、圧縮機の作業周波数Ｆに基づいて室内ファンの回転速度Ｒを調整するステップと、を含む。本発明の空気調和機を制御するための方法によると、潜熱/顕熱比を効果的に制御し、温度および湿度の両方に対する制御効果を向上させると同時に、ユーザーエクスペリエンスを向上させることができる。本発明は、空気調和機を制御するための装置、及び空気調和機をさらに開示した。
2020532703.tif 000002
【特許請求の範囲】
【請求項１】
空気調和機を制御するための方法であって、
空気調和機冷房モードにおいて、室内温度ｔおよび室内湿度ＲＨを収集するステップと、
前記室内温度ｔおよび室内湿度ＲＨに基づいて条件を満たすか否かを判断し、条件を満たす場合、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するステップと、を含む
ことを特徴とする空気調和機を制御するための方法。
【請求項２】
室内パイプコイルの温度Ｔｐｎに基づいて圧縮機の作業周波数Ｆを制御するステップは、
室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出して調整するステップを含む
ことを特徴とする請求項１に記載の空気調和機を制御するための方法。
【請求項３】
室内湿度ＲＨに基づいて圧縮機の作業周波数Ｆを制御するステップは、
室内湿度ＲＨと目標湿度ＲＨ_Ｔaｒgｅｔとの間の湿度差ΔＲＨ、および、室内湿度の変化ΔＲＨ’に基づいて、圧縮機の作業周波数Ｆを算出して調整するステップを含む
ことを特徴とする請求項１に記載の空気調和機を制御するための方法。
【請求項４】
前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たし、ここで、前記第２の設定温度差ΔＴ２は０よりも大きい
ことを特徴とする請求項１乃至３のいずれかに記載の空気調和機を制御するための方法。
【請求項５】
前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持するステップをさらに含む
ことを特徴とする請求項４記載の空気調和機を制御するための方法。
【請求項６】
前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整するステップをさらに含む
ことを特徴とする請求項５に記載の空気調和機を制御するための方法。
【請求項７】
前記温度差Δｔが第１の設定温度差ΔＴ１以上である場合、前記圧縮機の作業周波数Ｆ及び／又は前記室内ファンの回転速度Ｒを増加させることで、室内温度を下げるステップをさらに含む
ことを特徴とする請求項５または６に記載の空気調和機を制御するための方法。
【請求項８】
室内温度ｔを収集するための第１の温度センサと、室内湿度ＲＨを収集するための湿度センサと、マイクロコントローラユニットＭＣＵと、を備える空気調和機を制御するための装置であって、
前記ＭＣＵは、
冷房モードにおいて、前記第１の温度センサによって収集された室内温度ｔおよび前記湿度センサによって収集された室内湿度ＲＨに基づいて、条件を満たすか否かを判断するための判断ユニットと、
判断ユニットによって条件を満たすとして判断されると、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するための調節ユニットと、を備える
ことを特徴とする空気調和機を制御するための装置。
【請求項９】
前記ＭＣＵは、
室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出するための第１の算出ユニットをさらに備え、
前記調節ユニットは、前記第１の算出ユニットの算出結果に基づいて圧縮機の作業周波数Ｆを調節する
ことを特徴とする請求項８に記載の空気調和機を制御するための装置。
【請求項１０】
前記ＭＣＵは、
室内湿度ＲＨと目標湿度ＲＨ_Ｔaｒgｅｔとの間の湿度差ΔＲＨ、および、室内湿度の変化ΔＲＨ’に基づいて、圧縮機の作業周波数Ｆを算出するための第２の算出ユニットをさらに備え、
前記調節ユニットは、前記第２の算出ユニットの算出結果に基づいて圧縮機の作業周波数Ｆを調節する
ことを特徴とする請求項８に記載の空気調和機を制御するための装置。
【請求項１１】
前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たし、ここで、前記第２の設定温度差ΔＴ２は０よりも大きい
ことを特徴とする請求項８乃至１０のいずれかに記載の空気調和機を制御するための装置。
【請求項１２】
前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持する
ことを特徴とする請求項１１に記載の空気調和機を制御するための装置。
【請求項１３】
前記調節ユニットは、さらに、前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整する
ことを特徴とする請求項１２に記載の空気調和機を制御するための装置。
【請求項１４】
前記調節ユニットは、さらに、前記温度差Δｔが前記第１の設定温度差ΔＴ１以上である場合、前記圧縮機の作業周波数Ｆ及び／又は前記室内ファンの回転速度Ｒを増加させることで、室内温度を下げる
ことを特徴とする請求項１３または１４に記載の空気調和機を制御するための装置。
【請求項１５】
圧縮機と室内ファンとを備える空気調和機であって、
請求項８乃至１４のいずれかに記載の空気調和機を制御するための装置をさらに備える
ことを特徴とする空気調和機。
【請求項１６】
空気調和機の自己洗浄のための制御方法であって、
空気調和機冷房モードにおいて、室内温度ｔおよび室内湿度ＲＨを収集するステップと、
前記室内温度ｔおよび室内湿度ＲＨに基づいて条件を満たすか否かを判断し、条件を満たす場合、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するステップと、を含む
ことを特徴とする空気調和機の自己洗浄のための制御方法。
【発明の詳細な説明】
【技術分野】
【０００１】
本願は、出願番号がＣＮ２０１７１０７８７６９０.３であって、出願日が２０１７年０９月０４日である中国特許出願に基づいて優先権を主張し、当該中国特許出願のすべての内容を援用して参考とする。
【０００２】
本願は、出願番号がＣＮ２０１７１０７８７６８４.８であって、出願日が２０１７年０９月０４日である中国特許出願に基づいて優先権を主張し、当該中国特許出願のすべての内容を援用して参考とする。
本発明は、空気調和機の技術分野に関し、特に、空気調和機の自己洗浄のための制御方法、装置、及び空気調和機に関する。
【背景技術】
【０００３】
空気調和機の冷房能力は、顕熱と潜熱に分けられ、顕熱は主に室内温度に影響し、潜熱は主に室内湿度に影響するため、顕熱と潜熱はいずれも人間の快適性に影響する。室内の温度と湿度をどのように制御してユーザにより良い体験を与えるかは、現在、大きな注目を集めている。
【０００４】
従来の技術は、空気調和機用の時分割温湿制御方法を公開し、当該方法は、室内湿度が空気調和機の設定湿度よりも高いか否かを判断するステップと、空気調和機の設定湿度よりも高いと、空気調和機が除湿を行うように駆動するステップと、空気調和機の設定湿度以下であると、空気調和機が冷房を行うように駆動するステップと、を含み、空気調和機の設定湿度よりも高いと、空気調和機が除湿を実行するように駆動するステップは、具体的に、空気調和機の設定湿度よりも高いと、室内温度が空気調和機の設定温度よりも高いか否かを判断するステップと、空気調和機の設定温度以下であると、空気調和機が除湿のみを行うように駆動するステップと、空気調和機の設定温度よりも高いと、室内温度が空気調和機の設定温度よりｔ１（１.５≦ｔ１≦３）度高いか否かを判断するステップと、ｔ１度高いと、空気調和機の圧縮機の周波数を増加するステップと、ｔ１度高くないと、まず空気調和機のファンの回転速度を低下させた後に、空気調和機の圧縮機の周波数を増加するステップと、を含む。当該従来の技術は、時分割温湿制御方法によって室内の温度と湿度を維持できることを開示したが、当該方法は、空気調和機の設定温度よりも高いと、空気調和機の圧縮機の周波数を増加し、高くないと、まず、空気調和機のファンの回転速度を低下させた後に、空気調和機の圧縮機の周波数を増加することのみを開示した。当業者は、当該従来の技術の開示に従って、より具体的かつ詳細な圧縮機の周波数を調整するための解決策とファンの回転速度を調整するための解決策とを考えることができない。
【０００５】
従来の技術は、温度と湿度を制御するためのもう一つの方法を開示し、当該方法は以下の内容を開示した。Ｂにおいて、空気調和機の冷房モードにおいての動作時間を算出し、動作時間が所定の閾値に達すると、以下の条件によって現在圧縮機の作業周波数に対して周波数制限を行う必要があるか否か、室内ファンの回転速度に対して調整を行う必要があるか否かを、判断する。ｂ１において、現在の室内温度と所定の温度との差分値≧２℃であると、圧縮機の作業周波数に対して周波数制限を行わないし、室内ファンの現在の回転速度を調整しないし、ｂ２において、１℃≦現在の室内温度と所定の温度との差分値＜２℃であると、圧縮機の作業周波数に対して周波数制限を行わないが、室内ファンの回転速度を現在の室内ファンの回転速度よりも一つ低いレベルまで低下させ、且つ、最低は低レベル動作であり、ｂ３において、現在の室内温度と所定の温度との差分値＜１℃であり、且つ、現在の室内相対的湿度≧７０％であると、圧縮機の作業周波数に対して周波数制限を行わないが、室内ファンの回転速度を現在の室内ファンの回転速度よりも最大で二つ低いレベルまで低下させ、且つ、最低は低速レベル動作であり、ｂ４において、現在の室内温度と所定の温度との差分値＜１℃であり、且つ、現在の室内の相対的湿度＜７０％であると、圧縮機の作業周波数に対して周波数制限を行うと同時に、室内ファンの回転速度を現在の室内ファンの回転速度よりも最大で二つ低いレベルまで低下させ、且つ、最低は低速レベル動作である。当該従来の技術は、相対的に具体的な圧縮機周波数調整の解決策とファン回転速度調整の解決策とを開示したが、すなわち、特定の条件において作業周波数に対して周波数制限を行うか、または、風速のレベルを調節する解決策を開示したが、周波数制限は圧縮機の作業周波数を固定値に限定し、且つ、風速も簡単に四つのレベルのみに分けられている。したがって、当該解決策の圧縮機の作業周波数および風速に対する調整過程は洗練されていないことが分かる。
【発明の概要】
【発明が解決しようとする課題】
【０００６】
本発明の実施例は、空気調和機の自己洗浄のための制御方法、装置、及び空気調和機を提供し、より洗練された空気調和機の圧縮機の周波数および空気調和機のファンの回転速度の制御方法を提供することによって、温度および湿度の両方に対する制御効果を向上させて、ユーザーエクスペリエンスを向上させる。開示する実施例のいくつかの態様に対する基本的な理解のために、簡単な概要を以下に示す。当該概要の部分は、簡単な評述でもなく、鍵となる構成要素／重要な構成要素を特定しようとするものでもなく、これら実施例の保護範囲を説明するものでもない。その唯一の目的は、後述するより詳細な説明の前置きとして、簡略化された形式でいくつかの概念を提示することである。
【０００７】
本発明の実施例の第１の態様によると、空気調和機を制御するための方法を提供し、当該方法は、
空気調和機冷房モードにおいて、室内温度ｔおよび室内湿度ＲＨを収集するステップと、
前記室内温度ｔおよび室内湿度ＲＨに基づいて条件を満たすか否かを判断し、条件を満たす場合、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するステップと、を含む。
【０００８】
オプションとして、室内パイプコイルの温度Ｔｐｎに基づいて圧縮機の作業周波数Ｆを制御するステップは、室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出して調整するステップを含む。
【０００９】
オプションとして、Ｆ＝Ｔ_Ｋｐ×ＰＴ＋Ｔ_Ｋｉ×ＤＴであり、ここで、ＰＴ＝Ｔｐｎ−Ｔｐｍであり、ＤＴ＝Ｔｐｎ−Ｔｐｎ１であり、Ｔｐｎ１は前回収集した室内パイプコイルの温度であり、Ｔ_Ｋｐ、Ｔ_Ｋｉはそれぞれ重み係数である。
【００１０】
オプションとして、Ｔ_Ｋｉの選択は、システム構成および外部環境温度に関連しており、Ｔ_Ｋｐの選択は、システム構成および外部環境温度に関連している。Ｔ_Ｋｉの値範囲は１〜１０であり、Ｔ_Ｋｐの値範囲は１〜８である。好ましくは、Ｔ_Ｋｉ＝３、４、５、６、または、７であり、Ｔ_Ｋｐ＝３、４、５、６、または、７である。
【００１１】
オプションとして、室内湿度ＲＨに基づいて圧縮機の作業周波数Ｆを制御するステップは、室内湿度ＲＨと目標湿度ＲＨ_Ｔaｒgｅｔとの間の湿度差ΔＲＨ、および、室内湿度の変化ΔＲＨ’に基づいて、圧縮機の作業周波数Ｆを算出して調整するステップを含む。
【００１２】
オプションとして、目標湿度ＲＨ_Ｔaｒgｅｔの好ましい値は、５２％である。
【００１３】
オプションとして、Ｆ＝ＲＨ_Ｋｉ×ΔＲＨ’＋ＲＨ_Ｋｐ×ΔＲＨであり、ここで、ΔＲＨ＝ＲＨ−ＲＨ_Ｔaｒgｅｔであり、ΔＲＨ’＝ＲＨ〜ＲＨ１であり、ＲＨ１は前回収集した室内湿度であり、ＲＨ_Ｋｉ、ＲＨ_Ｋｐはそれぞれ設定された重み係数である。
【００１４】
オプションとして、ＲＨ_Ｋｉの選択は、システム構成および外部環境温度に関連しており、ＲＨ_Ｋｐの選択は、システム構成および外部環境温度に関連している。ＲＨ_Ｋｉの値範囲は１〜１０であり、ＲＨ_Ｋｐの値範囲は１〜８である。好ましくは、ＲＨ_Ｋｉ＝２、３、４、５、６または７であり、ＲＨ_Ｋｐ＝２、３、４、５、６、または、７である。
【００１５】
オプションとして、算出した作業周波数Ｆが設定された上限値よりも大きい場合、圧縮機の作業周波数Ｆを前記上限値として設定し、算出された作業周波数Ｆが設定された下限値よりも小さい場合、圧縮機の作業周波数Ｆを前記下限値として設定する。それで、空気調和機の動作効率を確保し、空気調和機の圧縮機の使用寿命を延長させる。
【００１６】
オプションとして、圧縮機の作業周波数Ｆに基づいて、室内ファンの回転速度Ｒを調整するステップは、圧縮機の周波数が高いほど、室内ファンの回転速度Ｒを高くするステップを含む。
【００１７】
オプションとして、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。ここで、前記第２の設定温度差ΔＴ２は０よりも大きい。
【００１８】
オプションとして、前記目標湿度範囲（ＲＨ１、ＲＨ２）は、前記設定温度Ｔと関連する。
【００１９】
オプションとして、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持するステップをさらに含む。
【００２０】
オプションとして、前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整するステップをさらに含む。
【００２１】
オプションとして、設定周波数ｆ１は、圧縮機の最高の周波数の７０％である。
【００２２】
オプションとして、前記温度差Δｔが前記第１の設定温度差ΔＴ１以上である場合、前記圧縮機の作業周波数Ｆ及び／又は前記室内ファンの回転速度Ｒを増加させることで、室内温度を下げるステップをさらに含む。
【００２３】
本発明の実施例の第２の態様によると、室内温度ｔを収集するための温度センサと、室内湿度ＲＨを収集するための湿度センサと、マイクロコントローラユニット（Ｍｉｃｒｏｃｏｎｔｒｏｌｌｅｒ Ｕｎｉｔ、ＭＣＵ）と、を備える空気調和機を制御するための装置を提供し、前記ＭＣＵは、冷房モードにおいて、前記温度センサによって収集された室内温度ｔおよび前記湿度センサによって収集された室内湿度ＲＨに基づいて、条件を満たすか否かを判断するための判断ユニットと、判断ユニットによって条件を満たすとして判断されると、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するための調節ユニットと、を備える。
【００２４】
オプションとして、前記ＭＣＵは、室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出するための第１の算出ユニットをさらに備え、前記調節ユニットは、前記第１の算出ユニットの算出結果に基づいて圧縮機の作業周波数Ｆを調節する。
【００２５】
オプションとして、ＰＴ＝Ｔｐｎ−Ｔｐｍであり、ＤＴ＝Ｔｐｎ−Ｔｐｎ１であり、Ｔｐｎ１は前回収集した室内パイプコイルの温度であり、Ｔ_Ｋｐ、Ｔ_Ｋｉはそれぞれ重み係数である。
【００２６】
オプションとして、Ｔ_Ｋｉの選択は、システム構成および外部環境温度に関連しており、Ｔ_Ｋｐの選択は、システム構成および外部環境温度に関連している。Ｔ_Ｋｉの値範囲は１〜１０であり、Ｔ_Ｋｐの値範囲は１〜８である。好ましくは、Ｔ_Ｋｉ＝３、４、５、６、または、７であり、Ｔ_Ｋｐ＝３、４、５、６、または、７である。
【００２７】
オプションとして、前記ＭＣＵは、室内湿度ＲＨと目標湿度ＲＨ_Ｔaｒgｅｔとの間の湿度差ΔＲＨ、および、室内湿度の変化ΔＲＨ’に基づいて、圧縮機の作業周波数Ｆを算出するための第２の算出ユニットをさらに備え、前記調節ユニットは、前記第２の算出ユニットの算出結果に基づいて圧縮機の作業周波数Ｆを調節する。
【００２８】
オプションとして、目標湿度ＲＨ_Ｔaｒgｅｔの好ましい値は、５２％である。
【００２９】
オプションとして、Ｆ＝ＲＨ_Ｋｉ×ΔＲＨ’＋ＲＨ_Ｋｐ×ΔＲＨであり、ΔＲＨ＝ＲＨ−ＲＨ_Ｔaｒgｅｔであり、ΔＲＨ’＝ＲＨ〜ＲＨ１であり、ＲＨ１は前回収集した室内湿度であり、ＲＨ_Ｋｉ、ＲＨ_Ｋｐはそれぞれ設定された重み係数である。
【００３０】
オプションとして、ＲＨ_Ｋｉの選択は、システム構成および外部環境温度に関連しており、ＲＨ_Ｋｐの選択は、システム構成および外部環境温度に関連している。ＲＨ_Ｋｉの値範囲は１〜１０であり、ＲＨ_Ｋｐの値範囲は１〜８である。好ましくは、ＲＨ_Ｋｉ＝２、３、４、５、６または７であり、ＲＨ_Ｋｐ＝２、３、４、５、６、または、７である。
【００３１】
オプションとして、算出した作業周波数Ｆが設定された上限値よりも大きい場合、圧縮機の作業周波数Ｆを前記上限値として設定し、算出された作業周波数Ｆが設定された下限値よりも小さい場合、圧縮機の作業周波数Ｆを前記下限値として設定する。
【００３２】
オプションとして、圧縮機の作業周波数Ｆに基づいて、室内ファンの回転速度Ｒを調整するステップは、圧縮機の作業周波数Ｆが高いほど、室内ファンの回転速度Ｒが高いステップを含む。
【００３３】
オプションとして、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。ここで、前記第２の設定温度差ΔＴ２は０よりも大きい。
【００３４】
オプションとして、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持するステップをさらに含む。
【００３５】
オプションとして、前記調節ユニットは、前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整するステップをさらに含む。
【００３６】
オプションとして、設定周波数ｆ１は、圧縮機の最高の周波数の７０％である。
【００３７】
オプションとして、前記調節ユニットは、さらに、前記温度差Δｔが前記第１の設定温度差ΔＴ１以上である場合、前記圧縮機の作業周波数Ｆ及び／又は前記室内ファンの回転速度Ｒを増加させることで、室内温度を下げるステップをさらに含む。
【００３８】
本発明の実施例の第３の態様によると、圧縮機と室内ファンとを備える空気調和機を提供し、前述した任意の装置をさらに備える。
【００３９】
本発明の実施例の第４の態様によると、空気調和機の自己洗浄のための制御方法を提供し、当該方法は、空気調和機冷房モードにおいて、室内温度ｔおよび室内湿度ＲＨを収集するステップと、前記室内温度ｔおよび室内湿度ＲＨに基づいて条件を満たすか否かを判断し、条件を満たす場合、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するステップと、を含む。
【００４０】
本発明の実施例によって提供される技術案は、以下の有益な効果を含む。
【００４１】
洗練された空気調和機の圧縮機の周波数および空気調和機のファンの回転速度を制御する方法を提供し、当該方法は、冷房モードにおいて、リアルタイムの室内温度と室内湿度を収集し、空気調和機の動作状態を調節する必要があるか否かを判断し、室内パイプコイルの温度に結合して圧縮機の作業周波数に対して調節を行い、さらに、室内ファンの回転速度を調整することによって、室内湿度および室内温度がいずれも設定された目標範囲内に位置するようにして、潜熱/顕熱比を効果的に制御し、温度および湿度の両方に対する制御効果を向上させると同時に、ユーザーエクスペリエンスを向上させることができる。
【００４２】
本実施例において、上述した一般的に、的な説明及び後述する詳細な説明は、単に例示的及び解釈的なものであり、本発明を限定しないことを理解すべきである。
【図面の簡単な説明】
【００４３】
以下の図面は、明細書に組み入れて本明細書の一部分を構成し、本発明に適合する実施例を例示するとともに、明細書とともに本発明の原理を解釈する。
【図１】一つの例示的な実施例に係る空気調和機を制御するための方法を示す概略フローチャートである。
【図２】一つの例示的な実施例に係る空気調和機を制御するための方法を示す概略フローチャートである。
【図３】一つの例示的な実施例に係る空気調和機を制御するための方法を示す概略フローチャートである。
【図４】一つの例示的な実施例に係る空気調和機を制御するための方法を示す概略フローチャートである。
【図５】一つの例示的な実施例に係る空気調和機を制御するための装置を示す構成ブロック図である。
【図６】一つの例示的な実施例に係る空気調和機を制御するための装置を示す構成ブロック図である。
【図７】一つの例示的な実施例に係る空気調和機を制御するための装置を示す構成ブロック図である。
【発明を実施するための形態】
【００４４】
当業者が本発明の具体的な実施形態を実施できるように、以下の説明及び図面は具体的な実施形態を十分に示している。他の実施形態は、構成、論理、電気、過程及びその他の変更を含んでもよい。実施例は可能な変更のみを代表している。明確な要求がない限り、個別の部品や機能は選択可能であり、操作の順番も変更可能である。一部の実施案の部分及び特徴は他の実施案の部分及び特徴に含まれてもよいし代替されてもよい。本発明の実施案の範囲は、特許請求の範囲の全て、及び特許請求の範囲の全てによって得られる等価物を含む。本明細書において、本発明の各実施案は、単独で又は総括的に「発明」という用語により表されてもよい。これは、便利にするためにすぎない。また、事実上、１つ以上の発明が公開されても、この応用の範囲を任意の単独な発明又は発明構想として自動的に規制するものではない。本明細書において、第１及び第２などの関係技術用語は１つの構成又は操作と他の構成又は操作を区別するためにのみ用いられ、これらの構成又は操作の間にこのような関係又は順序が存在することを要件としたり、示唆したりするものではない。また、「含む」、「含有」という技術用語またはその他の類似用語は、非排他的な含有をカバーし、一連の要素を含む過程、方法、又は装置はそれらの要素を含むだけでなく、明確に例示していないその他の要素を含むか、このような過程、方法又は装置の特有の要素を含むか、または、このような過程、方法、または、設備の固有の要素を含む。さらに制限することなく、「〜を含む」という文で定義された要素は、要素を含むプロセス、方法、または機器内の他の同一要素の存在を排除するものではない。本明細書の各実施形態は、段階様式で説明される。また、各実施形態についての重要な説明部分は、他の実施形態と異なる点であり、各実施形態の同一又は類似部分は相互に参照されてもよい。実施形態で開示されている方法や製品などは、実施形態で開示されている方法部分に対応するため、簡単に説明するが、関連部分については方法部分の説明を参照すればよい。
【００４５】
空気調和機の冷房能力は、顕熱と潜熱に分けられ、顕熱は主に室内温度に影響し、潜熱は主に室内湿度に影響するため、顕熱と潜熱はいずれも人間の快適性に影響する。部屋の温度差が大きい時、我々は部屋の温度をできるだけ早く低下させようとし、このとき空気調和機の顕熱比が大きいほど良い。部屋の温度が設定温度に接近したかまたは達した後、湿度が大きい場合、除湿する必要があり、このとき空気調和機の潜熱比が大きいほど良い。本実施例において、室内ファンの回転速度および圧縮機の作業周波数を制御することで、潜熱/顕熱比を効果的に制御することができ、除湿および冷房の効果を達することができる。また、潜熱/顕熱比を合理的に制御することで、温度と湿度の両方に対する制御を実現することができ、室内湿度および室内温度を設定された目標範囲内に制御することができる。
【００４６】
図１は、一つの例示的な実施例に係る空気調和機を制御するための方法を示すフローチャートである。図１に示されたように、当該方法は、以下のステップを含む。
ステップＳ１０１において、空気調和機冷房モードにおいて、室内温度ｔおよび室内湿度ＲＨを収集する。
【００４７】
本実施例において、空気調和機のリモコン、空気調和機の室内機上の制御パネル、または、空気調和機に対してリモコン機能を有するモバイル端末を利用して、空気調和機の動作モードを調節することができ、例えば、リモコン上の冷房モードボタンをクリックすることで空気調和機が冷房モードで動作するように制御することができる。
【００４８】
空気調和機は、一般的に、居間、寝室、会議室などの室内の空間に設置されるため、ステップＳ１０１で取得されるのは、空気調和機が設置された居間、寝室、会議室などの室内の空間の現在の温度値および湿度値であり、すなわち、今回のプロセスで取得されたリアルタイムの室内温度ｔおよび室内湿度ＲＨである。
【００４９】
空気調和機には、室内環境の現在の温度値を検出するための第１の温度センサが設置されている。第１の温度センサの検知端は、空気調和機の吸気口、または、キャビネットの外壁上に設置されることによって、検出された現在の温度値が室内環境の実際温度と同じかまたは類似した値になるようにして、本実施例において現在の室内温度の温度値に基づいて空気調和機の圧縮機作業周波数および室内ファンの回転速度を調整する精度を向上させることができる。
【００５０】
空気調和機には、室内環境の現在の湿度値である今回のプロセスで取得されるリアルタイムの室内湿度ＲＨを検出するための湿度センサが設置されている。湿度センサの検知端は、空気調和機の吸気口、または、キャビネットの外壁上に設置されることによって、検出された現在の湿度値が室内環境の実際湿度と同じかまたは類似した値になるようにして、本実施例において現在の室内湿度値に基づいて空気調和機の圧縮機作業周波数および室内ファンの回転速度を調整する精度を向上させることができる。
【００５１】
ステップＳ１０２において、前記室内温度ｔおよび室内湿度ＲＨに基づいて条件を満たすか否かを判断し、条件を満たす場合、室内パイプコイルの温度Ｔｐｎに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【００５２】
本実施例において、空気調和機の室内機のパイプコイルの表面、または、パイプコイルに接近する空気調和機のキャビネットの内壁上には、空気調和機の室内パイプコイルの温度Ｔｐｎを検出するための第２の温度センサが設置されている。それで、空気調和機の圧縮機作業周波数および室内ファンの回転速度を調整する。
【００５３】
いくつかの実施例において、圧縮機の作業周波数および室内ファンの回転速度に基づいて、空気調和機の室内機のパイプコイル温度が算出し得られる。
【００５４】
空気調和機システムには、室内温度ｔおよび室内湿度ＲＨに対して、判断条件が予め設定されており、ステップＳ１０１で収集した室内温度ｔおよび室内湿度ＲＨに基づいて、条件を満たすか否かを判断し、条件を満たす場合、室内パイプコイルの温度Ｔｐｎに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。複数のパラメータに基づいて、圧縮機の作業周波数Ｆを調節することで、調整の精度を向上させた。
【００５５】
本実施例において、洗練された空気調和機の圧縮機の周波数および空気調和機のファンの回転速度を制御する方法を提供し、冷房モードにおいて、リアルタイムの室内温度と室内湿度を収集し、空気調和機の動作状態を調節する必要があるか否かを判断し、室内パイプコイルの温度に結合して圧縮機の作業周波数に対して調節を行い、さらに、室内ファンの回転速度を調整することによって、室内湿度および室内温度がいずれも設定された目標範囲内に位置するようにして、潜熱/顕熱比を効果的に制御し、温度および湿度の両方に対する制御効果を向上させると同時に、ユーザーエクスペリエンスを向上させることができる。
【００５６】
図２は、一つの例示的な実施例に係る空気調和機を制御するための方法を示すフローチャートである。図２に示されたように、当該方法は、以下のステップを含む。
【００５７】
ステップＳ２０１において、空気調和機冷房モードにおいて、室内温度ｔおよび室内湿度ＲＨを収集する。
【００５８】
本実施例において、空気調和機には、室内環境の現在の温度値を検出するための第１の温度センサが設置されている。第３の温度センサの検知端は、空気調和機の吸気口、または、キャビネットの外壁上に設置されることによって、検出された現在の温度値が室内環境の実際温度と同じかまたは類似した値になるようにして、本実施例において現在の室内温度の温度値に基づいて空気調和機の圧縮機作業周波数および室内ファンの回転速度を調整する精度を向上させることができる。
【００５９】
空気調和機には、室内環境の現在の湿度値である今回のプロセスで取得されるリアルタイムの室内湿度ＲＨを検出するための湿度センサが設置されている。湿度センサの検知端は、空気調和機の吸気口、または、キャビネットの外壁上に設置されることによって、検出された現在の湿度値が室内環境の実際湿度と同じかまたは類似した値になるようにして、本実施例において現在の室内湿度値に基づいて空気調和機の圧縮機作業周波数および室内ファンの回転速度を調整する精度を向上させることができる。
【００６０】
ステップＳ２０２において、前記室内温度ｔおよび室内湿度ＲＨに基づいて条件を満たすか否かを判断し、条件を満たす場合、前記室内湿度ＲＨに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【００６１】
空気調和機システムには、室内温度ｔおよび室内湿度ＲＨに対して判断条件が予め設定されおり、ステップＳ２０１で収集した室内温度ｔおよび室内湿度ＲＨに基づいて、条件を満たすか否かを判断し、条件を満たす場合、前記室内湿度ＲＨに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。複数のパラメータに基づいて、圧縮機の作業周波数Ｆを調節することで、調整の精度を向上させた。
【００６２】
本実施例において、洗練された空気調和機の圧縮機の周波数および空気調和機のファンの回転速度を制御する方法を提供し、冷房モードにおいて、リアルタイムの室内温度と室内湿度を収集し、空気調和機の動作状態を調節する必要があるか否かを判断し、総合室内湿度圧縮機の作業周波数に対して調節を行い、さらに、室内ファンの回転速度を調整することによって、室内湿度および室内温度がいずれも設定された目標範囲内に位置するようにして、潜熱/顕熱比を効果的に制御し、温度および湿度の両方に対する制御効果を向上させると同時に、ユーザーエクスペリエンスを向上させることができる。
【００６３】
いくつかの実施例において、ステップＳ２０２において、前記室内温度ｔおよび室内湿度ＲＨに基づいて条件を満たすか否かを判断し、条件を満たす場合、室内パイプコイルの温度Ｔｐｎおよび前記室内湿度ＲＨに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【００６４】
前述した任意の実施例において、室内目標温度には目標湿度範囲（ＲＨ１、ＲＨ２）が対応されており、ここで、空気調和機システム中に室内目標温度値と目標湿度範囲（ＲＨ１、ＲＨ２）との対応関係を予め格納することができる。すなわち、室内目標温度毎に、複数の人体をテストして、対応される人体が最も快適に感じる湿度を取得し、室内目標温度の設定領域内で複数の人体に対してサンプルを収集した設定体感快適レベルに対応される湿度値を取得し、また、複数の湿度値に基づいて、室内目標温度に対応される目標湿度範囲（ＲＨ１、ＲＨ２）を確定して、対応関係を格納することができる。たとえば、室内目標温度が２５℃である場合、このとき、湿度は相対的な湿度４０％〜６０％の間であり、ほとんどのユーザは最も快適に感じるため、湿度４０％〜６０％を設定温度２５℃に対応される目標湿度範囲として確定し、室内目標温度２５°と目標湿度範囲４０％〜６０％との間の対応関係内に格納する。
【００６５】
したがって、空気調和機システム中に予め格納した室内目標温度と目標湿度範囲の対応関係は、表１に示したようでもよい。
【００６６】
2020532703.tif 000003
【００６７】
表１に示された対応関係に基づいて、空気調和機の現在の室内目標温度に対応される現在の目標湿度範囲（ＲＨ１、ＲＨ２）を確定する。表１に示されたように、現在の設定された温度が２８°である場合、取得された現在の目標湿度範囲は３０％〜６０％である。
【００６８】
室内温度は、空気調和機の動作過程で絶えず変化し、ユーザの要求を満たすためには、室内温度を特定の範囲内に制御する必要がある。室内温度目標範囲は、ユーザによって設定された室内目標温度に依存し、ユーザによって設定された室内目標温度およびシステムに予め設定された温度変動値に応じて確定される。ここで、室内目標温度は、ユーザによって、空気調和機のリモコン、空気調和機の室内機上の制御パネル、または、空気調和機に対してリモコン機能を有するモバイル端末を介して設置される。たとえば、システムに予め設定された温度変動値が２℃である場合、ユーザによって設定された室内目標温度が２８℃である場合、室内温度目標範囲は（２６℃、３０℃）である。
【００６９】
いくつかの実施例において、室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出して調整する。具体的に、以下の式（１）に従って、圧縮機の作業周波数Ｆを確定する。
Ｆ ＝ Ｔ_Ｋｉ × ＤＴ ＋ Ｔ_Ｋｐ × ＰＴ；                （１）
【００７０】
ここで、ＰＴ＝Ｔｐｎ−Ｔｐｍであり、ＤＴ＝Ｔｐｎ−Ｔｐｎ１であり、Ｔｐｎ１は前回収集した室内パイプコイルの温度であり、Ｔ_Ｋｐ、Ｔ_Ｋｉはそれぞれ重み係数である。
【００７１】
ここで、Ｔ_Ｋｉの選択は、システム構成および外部環境温度に関連しており、Ｔ_Ｋｐの選択は、システム構成および外部環境温度に関連している。たとえば、外部環境温度が高いほど、Ｔ_ＫｉまたはＴ_Ｋｐの値が高い。外部環境温度が高いほど、目標温度または湿度に達するために各パラメータを調節する幅が大きいため、重み係数も大きい。外部環境温度は、室内環境温度または室外環境温度を含む。システム構成において、ＲＨ_ＫｉおよびＲＨ_Ｋｐの選択は、スロットル装置がキャピラリーまたは膨張弁であるか、圧縮機の押しのけ性能または凝縮器および蒸発器のサイズに関連する。
【００７２】
ここで、Ｔ_Ｋｉの値範囲は１〜１０であり、Ｔ_Ｋｐの値範囲は１〜８である。好ましくは、Ｔ_Ｋｉ＝３、４、５、６、または、７であり、Ｔ_Ｋｐ＝３、４、５、６、または、７である。たとえば、Ｔ_Ｋｉ＝４であり、Ｔ_Ｋｐ＝５であり、ＰＴ＝１０であり、ＤＴ＝２である場合、式（１）に従って、Ｆ＝４×２＋５×１０＝５８であり、単位はＨzである。
【００７３】
いくつかの実施例において、室内湿度ＲＨと目標湿度ＲＨ_Ｔaｒgｅｔとの間の湿度差ΔＲＨ、および、室内湿度の変化ΔＲＨ’に基づいて、圧縮機の作業周波数Ｆを算出して調整する。具体的に、以下の式（２）に従って、圧縮機の作業周波数Ｆを確定する。
Ｆ ＝ ＲＨ_Ｋｉ×ΔＲＨ’ ＋ ＲＨ_Ｋｐ×ΔＲＨ                （２）
【００７４】
ここで、ΔＲＨ＝ＲＨ−ＲＨ_Ｔaｒgｅｔであり、ΔＲＨ’＝ＲＨ〜ＲＨ１であり、ＲＨ１は前回収集した室内湿度であり、ＲＨ_Ｋｉ、ＲＨ_Ｋｐはそれぞれ設定された重み係数である。
【００７５】
ここで、ＲＨ_Ｋｉの選択は、システム構成および外部環境温度に関連しており、ＲＨ_Ｋｐの選択は、システム構成および外部環境温度に関連している。たとえば、外部環境温度が高いほど、ＲＨ_ＫｉまたはＲＨ_Ｋｐの値が大きい。外部環境温度が高いほど、目標温度または湿度に達するために各パラメータを調節する幅が大きいため、重み係数も大きい。外部環境温度は、室内環境の温度または室外環境温度を含む。システム構成において、ＲＨ_ＫｉおよびＲＨ_Ｋｐの選択は、スロットル装置がキャピラリーまたは膨張弁であるか、圧縮機の押しのけ性能または凝縮器および蒸発器のサイズに関連する。
【００７６】
ここで、ＲＨ_Ｋｉの値範囲は１〜１０であり、ＲＨ_Ｋｐの値範囲は１〜８である。好ましくは、ＲＨ_Ｋｉ＝２、３、４、５、６または７であり、ＲＨ_Ｋｐ＝２、３、４、５、６、または、７である。好ましくは、目標湿度ＲＨ_Ｔaｒgｅｔの好ましい値は、５２％である。たとえば、ＲＨ_Ｋｉ＝２であり、ＲＨ_Ｋｐ＝４であり、ΔＲＨ＝１５であり、ΔＲＨ’＝４である場合、式（１）に従って、Ｆ＝２×４＋４×１５＝６８であり、単位はＨzである。
【００７７】
いくつかの実施例において、まず、室内パイプコイルの温度Ｔｐｎに基づいて、式（１）にしたがって、圧縮機の第１の候補作業周波数を算出し、次に、室内湿度ＲＨに基づいて、式（２）に従って、圧縮機の第２の候補作業周波数を算出し、最後に、圧縮機の作業周波数Ｆとして、前記第１の候補作業周波数および第２の候補作業周波数の中の小さい値を取る。異なるパラメータに結合して圧縮機の作業周波数を算出することによって、空気調和機を調節する精度をもう一層向上させた。
【００７８】
いくつかの実施例において、空気調和機システムには、圧縮機の作業周波数範囲が設置されている。算出した作業周波数Ｆが設定された上限値よりも大きい場合、圧縮機の作業周波数Ｆを前記上限値として設定し、算出された作業周波数Ｆが設定された下限値よりも小さい場合、圧縮機の作業周波数Ｆを前記下限値として設定する。それで、空気調和機の動作効率を確保し、空気調和機の圧縮機の使用寿命を延長させる。好ましくは、圧縮機の作業周波数範囲は、（３０Ｈz、７０Ｈz）である。たとえば、所定の圧縮機の作業周波数範囲が（３０Ｈz、７０Ｈz）である場合、式（１）または（２）に従って得られた圧縮機の作業周波数Ｆが２５Ｈzである場合、圧縮機の作業周波数を設定された下限値３０Ｈzに調整し、式（１）または（２）に従って得られた圧縮機の作業周波数Ｆが７５Ｈzである場合、圧縮機の作業周波数を設定された上限値７０Ｈzに調整する。
【００７９】
前述した任意の実施例において、圧縮機の作業周波数Ｆを確定した後、圧縮機の作業周波数Ｆに基づいて、室内ファンの回転速度Ｒを調整するステップは、圧縮機の周波数が高いほど、室内ファンの回転速度Ｒを高くするステップを含む。
【００８０】
具体的な調節方法は、以下のとおりである。オプションの方法において、所定の圧縮機の作業周波数Ｆと室内ファンの回転速度Ｒとの対応関係によって、表を検索して、ファンの回転速度を取得し、具体的には、対応関係は表２のとおりである。
【００８１】
2020532703.tif 000004
【００８２】
室内ファンが高速に動作する場合、パイプコイルの温度が高く、顕熱比が高く、除湿量が少ない。室内ファンが低速に動作する場合、パイプコイルの温度が低く、潜熱比が高く、除湿量が大きい。
【００８３】
圧縮機の異なる作業周波数帯域に対応される室内ファンの回転速度が異なり、低周波数帯域に対応される室内ファンの回転速度が低く、高周波数帯域に対応される室内ファンの回転速度が高い。特定の周波数では風速が低いほど、除湿量が大きいが、高周波数帯域の風速が低すぎるため、室内機のパイプコイルが凍結するリスクがある。
【００８４】
他のオプションの方法において、計算する方法によって、具体的には、以下の式（３）に従って、圧縮機の作業周波数Ｆから室内ファンの回転速度Ｒを算出し得る。
Ｒ＝１５ × Ｆ＋５０                   （３）
【００８５】
図３に示されたように、一実施例によって提供される空気調和機を制御する方法は、ステップＳ１０１を含み、当該ステップＳ１０１において、空気調和機冷房モードにおいて、室内温度ｔおよび室内湿度ＲＨを収集し、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置する場合、ステップＳ３０１を実行し、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、ステップＳ３０２を実行し、前記室内温度ｔと設定温度Ｔとの間の温度差Δｔが、第２の設定温度差ΔＴ２以上であり、且つ、第１の設定温度差ΔＴ１よりも小さい場合、ステップＳ３０３を実行し、前記温度差Δｔが前記第１の設定温度差ΔＴ１以上である場合、ステップＳ３０４を実行する。
【００８６】
空気調和機には、第１の設定温度差ΔＴ１および第２の設定温度差ΔＴ２が予め設定されている。ここで、第１の設定温度差ΔＴ１および第２の設定温度差ΔＴ２は、０よりも大きい。第１の設定温度差ΔＴ１は、第２の設定温度差ΔＴ２よりも大きい。
【００８７】
ステップＳ３０１において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。すなわち、ｔ−Ｔ＜ΔＴ２であり、且つ、
2020532703.tif 000005
であるとき、室内パイプコイルの温度Ｔｐｎに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【００８８】
ステップＳ３０２において、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置すると、条件を満たさない。すなわち、ｔ−Ｔ＜ΔＴ２であり、且つ、ＲＨ∈[ＲＨ１、ＲＨ２]であるとき、前記室内ファンの回転速度Ｒおよび前記圧縮機の作業周波数Ｆをそのまま維持する。
【００８９】
ステップＳ３０３において、前記室内温度ｔと設定温度Ｔとの間の温度差Δｔが、第２の設定温度差ΔＴ２以上であり、且つ、第１の設定温度差ΔＴ１よりも小さい場合、すなわち、ΔＴ２≦ｔ−Ｔ＜ΔＴ１である場合、前記圧縮機の作業周波数Ｆを設定周波数ｆ１まで調整する。
【００９０】
いくつかの実施例において、設定周波数ｆ１は、圧縮機の最高の周波数の７０％である。
【００９１】
前述した実施例において、前記温度差Δｔが前記第１の設定温度差ΔＴ１以上である場合、すなわち、ｔ−Ｔ≧ΔＴ１である場合、前記圧縮機の作業周波数Ｆを増加し、室内温度を下げる。
【００９２】
他のいくつかの実施例において、前記温度差Δｔが前記第１の設定温度差ΔＴ１以上である場合、すなわち、ｔ−Ｔ≧ΔＴ１である場合、前記室内ファンの回転速度Ｒを増加し、室内温度を下げる。
【００９３】
他のいくつかの実施例において、前記温度差Δｔが前記第１の設定温度差ΔＴ１以上である場合、すなわち、ｔ−Ｔ≧ΔＴ１である場合、前記圧縮機の作業周波数Ｆを増加すると同時に、前記室内ファンの回転速度Ｒを増加することで、室内温度を低下させる速度を加速する。
【００９４】
図４に示されたように、一実施例によって提供される空気調和機を制御する方法は、ステップＳ２０１を含み、当該ステップＳ２０１において、空気調和機冷房モードにおいて、室内温度ｔおよび室内湿度ＲＨを収集し、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置する場合、ステップＳ４０１を実行し、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、ステップＳ４０２を実行し、前記室内温度ｔと設定温度Ｔとの間の温度差Δｔが、第２の設定温度差ΔＴ２以上であり、且つ、第１の設定温度差ΔＴ１よりも小さい場合、ステップＳ４０３を実行し、前記温度差Δｔが前記第１の設定温度差ΔＴ１以上である場合、ステップＳ４０４を実行する。
【００９５】
空気調和機には、第１の設定温度差ΔＴ１および第２の設定温度差ΔＴ２が予め設定されている。ここで、第１の設定温度差ΔＴ１および第２の設定温度差ΔＴ２は、０よりも大きい。第１の設定温度差ΔＴ１は、第２の設定温度差ΔＴ２よりも大きい。
【００９６】
ステップＳ４０１において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。すなわち、ｔ−Ｔ＜ΔＴ２であり、且つ、
2020532703.tif 000006
であるとき、前記室内湿度ＲＨに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【００９７】
いくつかの実施例において、ステップＳ４０１において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。すなわち、ｔ−Ｔ＜ΔＴ２であり、且つ、
2020532703.tif 000007
であるとき、前記室内温度ｔおよび室内湿度ＲＨに基づいて条件を満たすか否かを判断し、条件を満たす場合、室内パイプコイルの温度Ｔｐｎおよび前記室内湿度ＲＨに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【００９８】
ステップＳ４０２において、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置すると、条件を満たさない。すなわち、ｔ−Ｔ＜ΔＴ２であり、且つ、ＲＨ∈[ＲＨ１、ＲＨ２]であるとき、前記室内ファンの回転速度Ｒおよび前記圧縮機の作業周波数Ｆをそのまま維持する。
【００９９】
ステップＳ４０３において、前記室内温度ｔと設定温度Ｔとの間の温度差Δｔが、第２の設定温度差ΔＴ２以上であり、且つ、第１の設定温度差ΔＴ１よりも小さい場合、すなわち、ΔＴ２≦ｔ−Ｔ＜ΔＴ１である場合、前記圧縮機の作業周波数Ｆを設定周波数ｆ１まで調整する。
【０１００】
いくつかの実施例において、設定周波数ｆ１は、圧縮機の最高の周波数の７０％である。
【０１０１】
前述した実施例において、前記温度差Δｔが前記第１の設定温度差ΔＴ１以上である場合、すなわち、ｔ−Ｔ≧ΔＴ１である場合、前記圧縮機の作業周波数Ｆを増加し、室内温度を下げる。
【０１０２】
他のいくつかの実施例において、前記温度差Δｔが前記第１の設定温度差ΔＴ１以上である場合、すなわち、ｔ−Ｔ≧ΔＴ１である場合、前記室内ファンの回転速度Ｒを増加し、室内温度を下げる。
【０１０３】
他のいくつかの実施例において、前記温度差Δｔが前記第１の設定温度差ΔＴ１以上である場合、すなわち、ｔ−Ｔ≧ΔＴ１である場合、前記圧縮機の作業周波数Ｆを増加すると同時に、前記室内ファンの回転速度Ｒを増加することで、室内温度を低下させる速度を加速する。
【０１０４】
以下は、本発明の装置の実施例であり、本発明の方法の実施例を実行することができる。
【０１０５】
図５は、一つの例示的な実施例に係る空気調和機を制御するための装置を示す構成ブロック図である。図５に示されたように、当該装置は、第１の温度センサ５０１と、湿度センサ５０２と、ＭＣＵ５０３と、を備え、ＭＣＵ５０３は、判断ユニット５０３１と、調節ユニット５０３２と、を備える。
【０１０６】
第１の温度センサ５０１は、室内温度ｔを収集する。
湿度センサ５０２は、室内湿度ＲＨを収集する。
【０１０７】
本実施例において、第１の温度センサの検知端は、空気調和機の吸気口、または、キャビネットの外壁上に設置され、湿度センサの検知端は、空気調和機の吸気口、または、キャビネットの外壁上に設置される。
【０１０８】
判断ユニット５０３１は、前記室内温度ｔおよび室内湿度ＲＨに基づいて条件を満たすか否かを判断する。
【０１０９】
調節ユニット５０３２は、判断ユニット５０３１によって条件を満たすと判断されると、室内パイプコイルの温度Ｔｐｎに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【０１１０】
本実施例において、空気調和機の室内機のパイプコイルの表面、または、パイプコイルに接近する空気調和機のキャビネットの内壁上には、第２の温度センサが設置されており、当該第２の温度センサは、空気調和機の室内パイプコイルの温度Ｔｐｎを検出する。それで、空気調和機の圧縮機作業周波数および室内ファンの回転速度を調整する。
いくつかの実施例において、室内パイプコイルの温度は、圧縮機の作業周波数および室内ファンの回転速度に基づいて算出し得られる。
【０１１１】
本実施例において、冷房モードにおいて、第１の温度センサはリアルタイムの室内温度を収集し、湿度センサはリアルタイムの室内湿度を収集し、判断ユニットは空気調和機の動作状態を調節する必要があるか否かを判断し、調節ユニットは室内パイプコイルの温度に結合して圧縮機の作業周波数に対して調節を行い、さらに、室内ファンの回転速度を調整することによって、室内湿度および室内温度がいずれも設定された目標範囲内に位置するようにして、潜熱/顕熱比を効果的に制御し、温度および湿度の両方に対する制御効果を向上させると同時に、ユーザーエクスペリエンスを向上させることができる。
【０１１２】
図６に示されたように、いくつかの実施例において、空気調和機を制御するための装置において、ＭＣＵ５０３は、第１の算出ユニット６０１をさらに備える。
【０１１３】
第１の算出ユニット６０１は、室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出する。具体的に、式（１）に従って圧縮機の作業周波数Ｆを算出する。
【０１１４】
調節ユニット５０３２は、第１の算出ユニット６０１の算出結果に基づいて圧縮機の作業周波数Ｆを調節する。
【０１１５】
前述した任意の実施例において、空気調和機システムには、圧縮機の作業周波数範囲が設置されており、第１の算出ユニット６０１によって算出された作業周波数Ｆが設定された上限値よりも大きい場合、圧縮機の作業周波数Ｆを前記上限値として設定し、算出された作業周波数Ｆが設定された下限値よりも小さい場合、圧縮機の作業周波数Ｆを前記下限値として設定し、それで、空気調和機の動作効率を確保し、空気調和機の圧縮機の使用寿命を延長させる。
【０１１６】
調節ユニット５０３２は、圧縮機の作業周波数Ｆに基づいて、室内ファンの回転速度Ｒを調整し、圧縮機の作業周波数Ｆが高いほど、室内ファンの回転速度Ｒが高い。
オプションの方法において、所定の圧縮機の作業周波数Ｆと室内ファンの回転速度Ｒとの対応関係によって、表２に従って、ファンの回転速度を得る。
【０１１７】
他のオプションの方法において、第１の算出ユニット６０１により、式（３）に従って、圧縮機の作業周波数Ｆから室内ファンの回転速度Ｒを確定する。
【０１１８】
いくつかの実施例において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。このとき、第１の算出ユニット６０１は、室内パイプコイルの温度Ｔｐｎに基づいて、式（１）にしたがって、圧縮機の作業周波数を算出し、調節ユニット５０３２は、第１の算出ユニット６０１の算出結果に基づいて圧縮機の作業周波数を調節する。
【０１１９】
いくつかの実施例において、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持する。
【０１２０】
前述した任意の実施例において、空気調和機システムには、圧縮機の作業周波数範囲が設置されており、第１の算出ユニット６０１によって算出された作業周波数Ｆが設定された上限値よりも大きい場合、圧縮機の作業周波数Ｆを前記上限値として設定し、算出された作業周波数Ｆが設定された下限値よりも小さい場合、圧縮機の作業周波数Ｆを前記下限値として設定し、それで、空気調和機の動作効率を確保し、空気調和機の圧縮機の使用寿命を延長させる。
【０１２１】
調節ユニット５０３２は、圧縮機の作業周波数Ｆに基づいて、室内ファンの回転速度Ｒを調整し、圧縮機の作業周波数Ｆが高いほど、室内ファンの回転速度Ｒが高い。
【０１２２】
オプションの方法において、所定の圧縮機の作業周波数Ｆと室内ファンの回転速度Ｒとの対応関係によって、表２に従って、ファンの回転速度を得る。
【０１２３】
他のオプションの方法において、第１の算出ユニット６０１により、式（３）に従って、圧縮機の作業周波数Ｆから室内ファンの回転速度Ｒを確定する。
【０１２４】
いくつかの実施例において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。このとき、第１の算出ユニット６０１は、室内湿度ＲＨに基づいて、式（２）に従って、圧縮機の作業周波数を算出し、調節ユニット５０３２は、第１の算出ユニット６０１の算出結果に基づいて圧縮機の作業周波数を調節する。
【０１２５】
いくつかの実施例において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。このとき、第１の算出ユニット６０１は、室内パイプコイルの温度Ｔｐｎに基づいて、式（１）にしたがって、圧縮機の第２の候補作業周波数を算出し、室内湿度ＲＨに基づいて、式（２）に従って、圧縮機の第２の候補作業周波数を算出し、圧縮機の作業周波数Ｆとして、前記第２の候補作業周波数および第２の候補作業周波数の中の小さい値を取り、調節ユニット５０３２は、第１の算出ユニット６０１の算出結果に基づいて圧縮機の作業周波数を調節する。
【０１２６】
いくつかの実施例において、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持する。
【０１２７】
いくつかの実施例において、調節ユニット５０３２は、さらに、前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整する。
【０１２８】
いくつかの実施例において、設定周波数ｆ１は、圧縮機の最高の周波数の７０％である。
【０１２９】
いくつかの実施例において、調節ユニット５０３２は、さらに、前記温度差Δｔが前記第１の設定温度差ΔＴ１以上である場合、前記圧縮機の作業周波数Ｆを増加し、室内温度を下げる。
【０１３０】
他のいくつかの実施例において、調節ユニット５０３２は、さらに、前記温度差Δｔが前記第１の設定温度差ΔＴ１以上である場合、前記室内ファンの回転速度Ｒを増加し、室内温度を下げる。
【０１３１】
他のいくつかの実施例において、調節ユニット５０３２は、さらに、前記温度差Δｔが前記第１の設定温度差ΔＴ１以上である場合、前記圧縮機の作業周波数Ｆを増加すると同時に、前記室内ファンの回転速度Ｒを増加することで、室内温度を低下させる速度を加速する。
【０１３２】
いくつかの実施例において、空気調和機を制御する装置は、第１の温度センサ５０１と、湿度センサ５０２と、ＭＣＵ５０３と、を備え、ＭＣＵ５０３は、判断ユニット５０３１と、調節ユニット５０３２と、を備える。調節ユニット５０３２は、判断ユニット５０３１によって条件を満たすと判断されると、室内湿度ＲＨに基づいて、圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【０１３３】
本実施例において、冷房モードにおいて、第１の温度センサはリアルタイムの室内温度を収集し、湿度センサはリアルタイムの室内湿度を収集し、判断ユニットは空気調和機の動作状態を調節する必要があるか否かを判断し、調節ユニットは室内湿度に基づいて圧縮機の作業周波数に対して調節を行い、さらに、室内ファンの回転速度を調整することによって、室内湿度および室内温度がいずれも設定された目標範囲内に位置するようにして、潜熱/顕熱比を効果的に制御し、温度および湿度の両方に対する制御効果を向上させると同時に、ユーザーエクスペリエンスを向上させることができる。
【０１３４】
図７に示されたように、いくつかの実施例において、空気調和機を制御するための装置において、ＭＣＵ５０３は、第２の算出ユニット７０１をさらに備える。
【０１３５】
第２の算出ユニット７０１は、室内湿度ＲＨと室内目標湿度ＲＨ_Ｔaｒgｅｔとの間の温度差ΔＲＨ、および、室内湿度変化ΔＲＨ’に基づいて、圧縮機の作業周波数Ｆを算出して調整する。具体的に、式（２）に従って、圧縮機の作業周波数Ｆを算出する。
【０１３６】
いくつかの実施例において、調節ユニット５０３２は、判断ユニット５０３１によって条件を満たすと判断されると、室内パイプコイルの温度Ｔｐｎおよび前記室内湿度ＲＨに基づいて圧縮機の作業周波数Ｆを制御し、圧縮機の作業周波数Ｆに基づいて室内ファンの回転速度Ｒを調整することによって、室内湿度および室内温度がいずれも設定された目標範囲内に位置するようにする。
【０１３７】
いくつかの実施例において、第２の算出ユニット７０１は、室内パイプコイルの温度Ｔｐｎに基づいて、式（１）にしたがって、圧縮機の第１の候補作業周波数を算出し、室内湿度ＲＨに基づいて、式（２）に従って、圧縮機の第２の候補作業周波数を算出する。最後に、圧縮機の作業周波数Ｆとして、前記第１の候補作業周波数および第２の候補作業周波数の中の小さい値を取る。
【０１３８】
前述した任意の実施例において、調節ユニット５０３２は、第２の算出ユニット７０１の算出結果に基づいて圧縮機の作業周波数Ｆを調節する。
【０１３９】
前述した任意の実施例において、空気調和機システムには、圧縮機の作業周波数範囲が設置されており、第２の算出ユニット７０１によって算出された作業周波数Ｆが設定された上限値よりも大きい場合、圧縮機の作業周波数Ｆを前記上限値として設定し、算出された作業周波数Ｆが設定された下限値よりも小さい場合、圧縮機の作業周波数Ｆを前記下限値として設定し、それで、空気調和機の動作効率を確保し、空気調和機の圧縮機の使用寿命を延長させる。
【０１４０】
調節ユニット５０３２は、圧縮機の作業周波数Ｆに基づいて、室内ファンの回転速度Ｒを調整し、圧縮機の作業周波数Ｆが高いほど、室内ファンの回転速度Ｒが高い。
【０１４１】
オプションの方法において、所定の圧縮機の作業周波数Ｆと室内ファンの回転速度Ｒとの対応関係によって、表２に従って、ファンの回転速度を得る。
【０１４２】
他のオプションの方法において、第２の算出ユニット７０１を利用して、式（３）に従って、圧縮機の作業周波数Ｆから室内ファンの回転速度Ｒを確定する。
【０１４３】
いくつかの実施例において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。このとき、第２の算出ユニット７０１は、室内湿度ＲＨに基づいて、式（２）に従って、圧縮機の作業周波数を算出し、調節ユニット５０３２は、第２の算出ユニット７０１の算出結果に基づいて圧縮機の作業周波数を調節する。
【０１４４】
いくつかの実施例において、前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たす。このとき、第２の算出ユニット７０１は、室内パイプコイルの温度Ｔｐｎに基づいて、式（１）にしたがって、圧縮機の第２の候補作業周波数を算出し、室内湿度ＲＨに基づいて、式（２）に従って、圧縮機の第２の候補作業周波数を算出し、圧縮機の作業周波数Ｆとして、前記第２の候補作業周波数および第２の候補作業周波数の中の小さい値を取り、調節ユニット５０３２は、第２の算出ユニット７０１の算出結果に基づいて圧縮機の作業周波数を調節する。
【０１４５】
いくつかの実施例において、前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持する。
【０１４６】
いくつかの実施例において、調節ユニット５０３２は、さらに、前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整する。
【０１４７】
いくつかの実施例において、設定周波数ｆ１は、圧縮機の最高の周波数の７０％である。
【０１４８】
いくつかの実施例において、調節ユニット５０３２は、さらに、前記温度差Δｔが前記第１の設定温度差ΔＴ１以上である場合、前記圧縮機の作業周波数Ｆを増加し、室内温度を下げる。
【０１４９】
他のいくつかの実施例において、調節ユニット５０３２は、さらに、前記温度差Δｔが前記第１の設定温度差ΔＴ１以上である場合、前記室内ファンの回転速度Ｒを増加し、室内温度を下げる。
【０１５０】
他のいくつかの実施例において、調節ユニット５０３２は、さらに、前記温度差Δｔが前記第１の設定温度差ΔＴ１以上である場合、前記圧縮機の作業周波数Ｆを増加すると同時に、前記室内ファンの回転速度Ｒを増加することで、室内温度を低下させる速度を加速する。
【０１５１】
いくつかの実施例において、調節ユニット５０３２は、さらに、前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整する。
【０１５２】
いくつかの実施例において、設定周波数ｆ１は、圧縮機の最高の周波数の７０％である。
【０１５３】
いくつかの実施例において、調節ユニット５０３２は、さらに、前記温度差Δｔが前記第１の設定温度差ΔＴ１以上である場合、前記圧縮機の作業周波数Ｆを増加し、室内温度を下げる。
【０１５４】
他のいくつかの実施例において、調節ユニット５０３２は、さらに、前記温度差Δｔが前記第１の設定温度差ΔＴ１以上である場合、前記室内ファンの回転速度Ｒを増加し、室内温度を下げる。
【０１５５】
他のいくつかの実施例において、調節ユニット５０３２は、さらに、前記温度差Δｔが前記第１の設定温度差ΔＴ１以上である場合、前記圧縮機の作業周波数Ｆを増加すると同時に、前記室内ファンの回転速度Ｒを増加することで、室内温度を低下させる速度を加速する。
【０１５６】
本発明は、圧縮機と室内ファンとを備える空気調和機をさらに含み、前述した任意の実施例に記載の装置をさらに備える。
【０１５７】
本発明は、上述した説明及び図面に示される流れや構成に限らず、その範囲から逸脱しない範囲で各種の補正及び変更を行うことができると理解すべきである。本発明の範囲は、特許請求の範囲のみに限定される。
【図１】
2020532703.tif 000008
【図２】
2020532703.tif 000009
【図３】
2020532703.tif 000010
【図４】
2020532703.tif 000011
【図５】
2020532703.tif 000012
【図６】
2020532703.tif 000013
【図７】
2020532703.tif 000014
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
空気調和機を制御するための方法であって、
空気調和機冷房モードにおいて、室内温度ｔおよび室内湿度ＲＨを収集するステップと、
前記室内温度ｔおよび室内湿度ＲＨに基づいて条件を満たすか否かを判断し、条件を満たす場合、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するステップと、を含む
ことを特徴とする空気調和機を制御するための方法。
【請求項２】
室内パイプコイルの温度Ｔｐｎに基づいて圧縮機の作業周波数Ｆを制御するステップは、
室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出して調整するステップを含む
ことを特徴とする請求項１に記載の空気調和機を制御するための方法。
【請求項３】
室内湿度ＲＨに基づいて圧縮機の作業周波数Ｆを制御するステップは、
室内湿度ＲＨと目標湿度ＲＨ_Ｔaｒgｅｔとの間の湿度差ΔＲＨ、および、室内湿度の変化ΔＲＨ’に基づいて、圧縮機の作業周波数Ｆを算出して調整するステップを含む
ことを特徴とする請求項１に記載の空気調和機を制御するための方法。
【請求項４】
前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たし、ここで、前記第２の設定温度差ΔＴ２は０よりも大きい
ことを特徴とする請求項１乃至３のいずれかに記載の空気調和機を制御するための方法。
【請求項５】
前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持するステップをさらに含む
ことを特徴とする請求項４記載の空気調和機を制御するための方法。
【請求項６】
前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整するステップをさらに含む
ことを特徴とする請求項５に記載の空気調和機を制御するための方法。
【請求項７】
前記温度差Δｔが第１の設定温度差ΔＴ１以上である場合、前記圧縮機の作業周波数Ｆ及び／又は前記室内ファンの回転速度Ｒを増加させることで、室内温度を下げるステップをさらに含む
ことを特徴とする請求項５または６に記載の空気調和機を制御するための方法。
【請求項８】
室内温度ｔを収集するための第１の温度センサと、室内湿度ＲＨを収集するための湿度センサと、マイクロコントローラユニットＭＣＵと、を備える空気調和機を制御するための装置であって、
前記ＭＣＵは、
冷房モードにおいて、前記第１の温度センサによって収集された室内温度ｔおよび前記湿度センサによって収集された室内湿度ＲＨに基づいて、条件を満たすか否かを判断するための判断ユニットと、
判断ユニットによって条件を満たすとして判断されると、室内パイプコイルの温度Ｔｐｎまたは前記室内湿度ＲＨに基づいて圧縮機の作業周波数Ｆを制御し、圧縮機の作業周波数Ｆに基づいて室内ファンの回転速度Ｒを調整するための調節ユニットと、を備える
ことを特徴とする空気調和機を制御するための装置。
【請求項９】
前記ＭＣＵは、
室内パイプコイルの温度Ｔｐｎと室内パイプコイルの目標温度Ｔｐｍとの間の温度差ＰＴ、および、室内パイプコイルの温度変化ＤＴに基づいて、圧縮機の作業周波数Ｆを算出するための第１の算出ユニットをさらに備え、
前記調節ユニットは、前記第１の算出ユニットの算出結果に基づいて圧縮機の作業周波数Ｆを調節する
ことを特徴とする請求項８に記載の空気調和機を制御するための装置。
【請求項１０】
前記ＭＣＵは、
室内湿度ＲＨと目標湿度ＲＨ_Ｔaｒgｅｔとの間の湿度差ΔＲＨ、および、室内湿度の変化ΔＲＨ’に基づいて、圧縮機の作業周波数Ｆを算出するための第２の算出ユニットをさらに備え、
前記調節ユニットは、前記第２の算出ユニットの算出結果に基づいて圧縮機の作業周波数Ｆを調節する
ことを特徴とする請求項８に記載の空気調和機を制御するための装置。
【請求項１１】
前記室内温度ｔと設定温度Ｔとの間の温度差Δｔが第２の設定温度差ΔＴ２よりも小さく、且つ、前記室内湿度ＲＨが目標湿度範囲（ＲＨ１、ＲＨ２）以外に位置すると、条件を満たし、ここで、前記第２の設定温度差ΔＴ２は０よりも大きい
ことを特徴とする請求項８乃至１０のいずれかに記載の空気調和機を制御するための装置。
【請求項１２】
前記室内温度ｔと設定温度Ｔとの間の温度差Δｔが前記第２の設定温度差ΔＴ２よりも小さく、且つ、前記室内湿度ＲＨが目標湿度範囲（ＲＨ１、ＲＨ２）以内に位置する場合、前記室内ファンの回転速度Ｒおよび前記圧縮機の作業周波数Ｆをそのまま維持する
ことを特徴とする請求項１１に記載の空気調和機を制御するための装置。
【請求項１３】
前記調節ユニットは、さらに、前記室内温度ｔと設定温度Ｔとの間の温度差Δｔが、第２の設定温度差ΔＴ２以上であり、且つ、第１の設定温度差ΔＴ１よりも小さい場合、前記圧縮機の作業周波数Ｆを設定周波数ｆ１まで調整する
ことを特徴とする請求項１２に記載の空気調和機を制御するための装置。
【請求項１４】
前記調節ユニットは、さらに、前記温度差Δｔが前記第１の設定温度差ΔＴ１以上である場合、前記圧縮機の作業周波数Ｆ及び／又は前記室内ファンの回転速度Ｒを増加させることで、室内温度を下げる
ことを特徴とする請求項１２または１３に記載の空気調和機を制御するための装置。
【請求項１５】
圧縮機と室内ファンとを備える空気調和機であって、
請求項８乃至１４のいずれかに記載の空気調和機を制御するための装置をさらに備える
ことを特徴とする空気調和機。
【手続補正３】
【補正対象書類名】明細書
【補正対象項目名】０００２
【補正方法】変更
【補正の内容】
【０００２】
本願は、出願番号がＣＮ２０１７１０７８７６８４.８であって、出願日が２０１７年０９月０４日である中国特許出願に基づいて優先権を主張し、当該中国特許出願のすべての内容を援用して参考とする。
本発明は、空気調和機の技術分野に関し、特に、空気調和機を制御するための方法、装置、及び空気調和機に関する。
【手続補正４】
【補正対象書類名】明細書
【補正対象項目名】０００６
【補正方法】変更
【補正の内容】
【０００６】
本発明の実施例は、空気調和機を制御するための方法、装置、及び空気調和機を提供し、より洗練された空気調和機の圧縮機の周波数および空気調和機のファンの回転速度の制御方法を提供することによって、温度および湿度の両方に対する制御効果を向上させて、ユーザーエクスペリエンスを向上させる。開示する実施例のいくつかの態様に対する基本的な理解のために、簡単な概要を以下に示す。当該概要の部分は、簡単な評述でもなく、鍵となる構成要素／重要な構成要素を特定しようとするものでもなく、これら実施例の保護範囲を説明するものでもない。その唯一の目的は、後述するより詳細な説明の前置きとして、簡略化された形式でいくつかの概念を提示することである。
【手続補正５】
【補正対象書類名】明細書
【補正対象項目名】００３９
【補正方法】削除
【補正の内容】
【手続補正６】
【補正対象書類名】図面
【補正対象項目名】図５
【補正方法】変更
【補正の内容】
【図５】
2020532703.tif 000015
【手続補正７】
【補正対象書類名】図面
【補正対象項目名】図６
【補正方法】変更
【補正の内容】
【図６】
2020532703.tif 000016
【手続補正８】
【補正対象書類名】図面
【補正対象項目名】図７
【補正方法】変更
【補正の内容】
【図７】
2020532703.tif 000017
【国際調査報告】
2020532703.tif 000018
2020532703.tif 000019
2020532703.tif 000020
2020532703.tif 000021
2020532703.tif 000022
2020532703.tif 000023